(57)【要約】【課題】患者の腕に対する着脱が容易で、点滴針の抜去を確実に防止することができる点滴針抜去防止具を提供する。【解決手段】連結部材１１の一方の端部に面ファスナのＡ面（雌部）１２，１３を、他方の端部にＢ面（雄部）１４，１５を取り付ける。Ａ面１２，１３の係止面Ａ１，Ａ１に巻き掛け凸部１６，１７を突設する。点滴針抜去防止具１１は、患者の腕の点滴針の固定部位に間隙Ｇを合わせるようにして、Ａ面１２，１３を患者の腕にあて、点滴チューブを巻き掛け凸部１６，１７に適宜に巻きつけた後、Ｂ面１４，１５をぐるっと腕に巻きつけてＡ面１２，１３に張り合わせて点滴チューブを挟み込む。このため、点滴チューブが強い力で引っ張られた場合でも、点滴針が抜けることはない。【選択図】図１
0003152902.tif 000002
【実用新案登録請求の範囲】
【請求項１】
シート状の部材を腕に巻き付けて、その一方の端部の表面側と他方の端部の裏面側とを係止させて使用する点滴針抜去防止具において、
前記一方の端部側の表面側に設けられた面ファスナのＡ面と、
前記他方の端部側の裏面側に設けられて前記面ファスナのＡ面に対して係脱される面ファスナのＢ面と、
前記Ａ面に突設されて点滴チューブが巻きつけられるとともに、前記Ａ面に前記Ｂ面が係合されることで、巻き付けられた前記点滴チューブの脱落が防止される巻き掛け凸部と、を備える、
ことを特徴とする点滴針抜去防止具。
【請求項２】
巻き付け方向に沿っての前記Ａ面と前記Ｂ面との間に前記Ａ面と前記Ｂ面とを連結する連結部材が設けられている、
ことを特徴とする請求項１に記載の点滴針抜去防止具。
【請求項３】
前記連結部材が、伸縮自在な布状部材によって形成されている、
ことを特徴とする請求項２に記載の点滴針抜去防止具。
【請求項４】
前記連結部材が、前記Ａ面と前記Ｂ面とを連結する伸縮自在な弾性部材と、前記Ａ面と前記Ｂ面とを前記弾性部材とは個別に連結するとともに前記弾性部材の伸長限度を規制する布状部材とを有する、
ことを特徴とする請求項２に記載の点滴針抜去防止具。
【請求項５】
前記連結部材に対して、複数の前記Ａ面が腕の長手方向に沿って隣接するように取り付けられている、
ことを特徴とする請求項２ないし４のいずれか１項に記載の点滴用の抜針防止部材。
【請求項６】
前記Ａ面及び前記連結部の裏面側における、腕に接触する部分に、刺激性の少ない布状部材を設けた、
ことを特徴とする請求項２ないし５のいずれか１項に記載の点滴針抜去防止具。
【請求項７】
前記巻き掛け凸部は、基端部に前記Ａ面に取り付けられる取付部を有し、中間部に前記点滴チューブが巻かれる巻き掛け部を有し、先端部に前記巻き掛け部よりも大きい抜け止め部を有する、
ことを特徴とする請求項１ないし６のいずれか１項に記載の点滴針抜去防止具。
【請求項８】
前記巻き掛け部に、前記点滴チューブとの摩擦係数が大きい部材を設ける、
ことを特徴とする請求項７に記載の点滴針抜去防止具。
【考案の詳細な説明】
【技術分野】
【０００１】
本考案は、点滴用の留置針が事故によって抜けたり、患者によって引き抜かれたりすることを防止する点滴針抜去防止具に関する。
【背景技術】
【０００２】
養分の補給や輸血をするときに行われる従来の点滴を、図８に示す。同図に示すように、点滴針５１を患者の腕Ａに刺したまま持続的に留置する場合、点滴針５１の抜去を防止するために、点滴針５１の上に透明テープ５２貼り、さらに点滴チューブ５３を固定テープ５４で固定するのが一般的であった。
【０００３】
ところで、点滴を受ける患者には種々の患者がいる。このため、透明テープ５２や固定テープ５４での固定だけでは不十分な場合があった。患者には、例えば、重度及び軽度の意識障害、高齢者に多い認知症や痴呆のものがいる。あるいは、点滴の器具や使用方法について、理解不足の患者もいる。このうち軽度の理解不足の患者については、説明内容を理解することができるため、例えば、点滴をしたままで移動する際の注意事項を説明すれば、上述の透明テープ５２や固定テープ５４による固定で十分な場合が多い。
【０００４】
ところが、意識障害、認知症、痴呆、重度の理解不足等の患者は、上述の透明テープ５２や固定テープ５４による固定だけでは、不十分な場合が多い。このため、これらの患者に対しては、患者の症状に応じて、身体の一部を拘束して自由を奪う、いわゆる抑制を行って対処している。この抑制を行うには、身体拘束承諾書が必要となるが、完全には、予測が困難な点滴針の抜去事故に備えて、すべての患者やその家族から身体拘束承諾書をあらかじめ取っておくことは困難である。また、患者にしてみれば、抑制を受けることで身体的また精神的な苦痛が大きい。一方、医師や看護師側からみれば、抜去のおそれが常に付きまとうこと、また万一、抜去事故があった場合には事故報告書の提出が求められることなどが、かなりのストレスの原因となる。このため、患者側、及び医師、看護師側の双方から、抑制が不要で、腕に簡単に装着することができ、また装着後には点滴針の抜去を確実に防止することができる点滴針抜去防止具が強く求められている。
【０００５】
そこで、点滴針が一層抜けにくくするために、特許文献１では、腕の点滴針を刺した部分に合成樹脂のシートを巻きつけて粘着テープや面ファスナで止めて円筒状に覆うものが提案されている。また、特許文献２では、弾性又は可撓性を有する略平板状の下敷マットに点滴針を刺した腕を置き、その腕を断面略円弧状の透明又は半透明の保護カバーで覆うものが提案されている。
【０００６】
【特許文献１】特開２００５−２７９２２３号公報
【特許文献２】特開２００２−１７２１６４号公報
【考案の開示】
【考案が解決しようとする課題】
【０００７】
上述の特許文献１，２のものは、比較的簡単な構成で、また患者の腕に対する装着も容易であり、点滴針に抜去防止に対しても、相応の効果を挙げることができる。
【０００８】
しかしながら、特許文献１，２のものは、例えば、点滴チューブが他の器具等に引っかかった場合や、患者が点滴チューブを引っ張ったりした場合などの、点滴チューブに強い力が作用した場合には、チューブに作用した張力がそのままダイレクトに点滴針に伝達されるため、点滴針が比較的、容易に腕から抜けてしまうという問題がある。
【０００９】
そこで、本考案は、簡単な構成で、患者に対する装着も容易でありながら、点滴チューブに対して強い力が作用した場合でも腕から点滴針が抜けないようにした点滴針抜去防止具を提供することを目的とするものである。
【課題を解決するための手段】
【００１０】
請求項１に係る考案は、シート状の部材を腕に巻き付けて、その一方の端部の表面側と他方の端部の裏面側とを係止させて使用する点滴針抜去防止具に関する。この考案に係る点滴針抜去防止具は、前記一方の端部側の表面側に設けられた面ファスナのＡ面と、前記他方の端部側の裏面側に設けられて前記面ファスナのＡ面に対して係脱される面ファスナのＢ面と、前記Ａ面に突設されて点滴チューブが巻きつけられるとともに、前記Ａ面に前記Ｂ面が係合されることで、巻き付けられた前記点滴チューブの脱落が防止される巻き掛け凸部と、を備える、ことを特徴としている。
【００１１】
請求項２に係る考案は、請求項１に係る点滴針抜去防止具において、巻き付け方向に沿っての前記Ａ面と前記Ｂ面との間に前記Ａ面と前記Ｂ面とを連結する連結部材が設けられている、ことを特徴としている。
【００１２】
請求項３に係る考案は、請求項２に係る点滴針抜去防止具において、前記連結部材が、伸縮自在な布状部材によって形成されている、ことを特徴としている。
【００１３】
請求項４に係る考案は、請求項２に係る点滴針抜去防止具において、前記連結部材が、前記Ａ面と前記Ｂ面とを連結する伸縮自在な弾性部材と、前記Ａ面と前記Ｂ面とを前記弾性部材とは個別に連結するとともに前記弾性部材の伸長限度を規制する布状部材とを有する、ことを特徴としている。
【００１４】
請求項５に係る考案は、請求項２ないし４のいずれか１項に係る点滴用の抜針防止部材において、前記連結部材に対して、複数の前記Ａ面が腕の長手方向に沿って隣接するように複数取り付けられ、複数の前記Ａ面が腕の長手方向に沿って隣接するように複数取り付けられている、ことを特徴としている。
【００１５】
請求項６に係る考案は、請求項２ないし５のいずれか１項に係る点滴針抜去防止具において、前記Ａ面及び前記連結部の裏面側における、腕に接触する部分に、刺激性の少ない布状部材を設けた、ことを特徴としている。
【００１６】
請求項７に係る考案は、請求項１ないし６のいずれか１項に係る点滴針抜去防止具において、前記巻き掛け凸部は、基端部に前記Ａ面に取り付けられる取付部を有し、中間部に前記点滴チューブが巻かれる巻き掛け部を有し、先端部に前記巻き掛け部よりも大きい抜け止め部を有する、ことを特徴としている。
【００１７】
請求項８に係る考案は、請求項７に記載の点滴針抜去防止具において、前記巻き掛け部に、前記点滴チューブとの摩擦係数が大きい部材を設ける、ことを特徴としている。
【考案の効果】
【００１８】
請求項１の考案によると、患者の腕に点滴用の点滴針を刺した後、面ファスナのＡ面を、その表面に突設された巻き掛け凸部が外側を向くようにして腕に当て、この巻き掛け凸部に点滴チューブを巻き掛け、その後、面ファスナのＢ面側を腕に巻き付けてＡ面に係合させる。これにより、点滴チューブは、巻き掛け凸部に巻き掛けられた状態で、面ファスナのＡ面とＢ面との間にぴったりと挟み込まれる。したがって、点滴チューブは、巻き掛け凸部からの脱落が防止されるとともに、強い力で引っ張られた場合であっても、巻き掛け凸部に対する摩擦力が増加し、またＡ面とＢ面との間でほとんど移動することができないので、腕が点滴針から抜けることを有効に防止することができる。
【００１９】
請求項２の考案によると、Ａ面とＢ面とは、連結部材によって連結されているので、この連結部材の長さを調整することにより、Ａ面及びＢ面の長さを、最適な長さに調整することができる。
【００２０】
請求項３の考案によると、連結部材が伸縮自在な布状部材によって形成されているので、点滴針抜去防止具を患者の腕にフィットさせることができる。
【００２１】
請求項４の考案によると、Ａ面とＢ面とが弾性部材と布状部材とによってそれぞれ個別に連結されているので、布状部材が弾性部材の伸長限度を規制することができる。つまり、布状部材は、弾性部材が必要以上に伸びることを防止することができるので、点滴針抜去防止具を腕に装着した際に、腕を強く締めすぎることを防止して、適宜な力で締め付けるようにすることが可能である。
【００２２】
請求項５の考案によると、Ａ面及びＢ面が腕の長手方向に沿ってそれぞれ複数、取り付けられているので、点滴針抜去防止具を腕に装着する際に、腕の形状によくフィットさせることができる。
【００２３】
請求項６の考案によると、腕に接触する部分に、刺激性の少ない布状部材を設けているので、点滴針抜去防止具を長時間装着した場合でも、腕に異常をきたすことがない。
【００２４】
請求項７の考案によると、巻き掛け凸部は、点滴チューブが巻き掛けられる中間部よりも大きい抜け止め部を上部に有しているので、点滴チューブは、中間部に巻き掛けられた後、強く引っ張られた場合でも、抜け止め部を乗り越えて脱落することがない。これにより、点滴チューブは、強い力で引っ張られた場合でもＡ面とＢ面との間から抜けることがない。
【００２５】
請求項８の考案によると、巻き掛け凸部の中間部に、摩擦係数の大きな部材を設けているので、点滴チューブは、強い力で引っ張れられた場合でも、より強く巻き掛け凸部に巻き付くことになり、巻き掛け凸部から抜けにくくなる。
【考案を実施するための最良の形態】
【００２６】
以下、図面に沿って、本考案の実施の形態について説明する。
＜実施の形態１＞
【００２７】
図１，図２，図３に、本考案に係る点滴針抜去防止具１０を示す。このうち図１は、点滴針抜去防止具１０の展開図、図２は図１における連結部材１１の内部のようすを説明する図、図３は点滴針抜去防止具１０を腕に装着したときの巻き掛け凸部１６近傍の拡大図である。なお、以下の説明では、点滴針抜去防止具１０における、図１，図２中の左右方向を「長さ方向（巻き方向）」、上下方向を「幅方向」という。長さ方向は、腕の周囲に対応し、また幅方向は、腕の長手方向に対応する。
【００２８】
これらの図に示すように、点滴針抜去防止具１０は、連結部材１１と、面ファスナのＡ面（雌部）１２，１３と、面ファスナのＢ面（雄部）１４，１５と、巻き掛け凸部１６，１７とを備えている。
【００２９】
連結部材１１は、袋状に形成された布状部材２０と、その内側に配設されたゴム（弾性部材）２１，２２（図２参照）とを有している。布状部材２０は二重（袋状）に形成されていて、図１，図２中の左端部２０ａには、Ａ面１２，１３の基端部１２ａ，１３ａが取り付けられている。また、布状部材２０の右端部２０ｂには、Ｂ面１４，１５の基端部１４ａ，１５ａが取り付けられている。ゴム２１は、一方の端部２１ａが図１，図２中のＡ面１２の基端部１２ａの上端側（図４，図５における肘側）に取り付けられ、他方の端部２１ｂがＢ面１４の基端部１４ａの上端側に取り付けられている。また、ゴム２２は、一方の端部２２ａがＡ面１３の基端部１３ａの下端側（図１，図２における手首側）に取り付けられ、他方の端部２２ｂがＢ面１５の基端部１５ａの下端側に取り付けられている。これらゴム２１，２２の長さは、自然状態においては、つまり点滴針抜去防止具１０を腕に装着しない状態においては、布状部材２０の巻き方向の長さよりも、短く設定されている。言い換えると、ゴム２１，２２が縮んでいる自然状態においては、布状部材２０は、弛んだ状態となっている。したがって、装着時に布状部材２０及びゴム２１，２２が伸ばされることになるが、ゴム２１，２２の伸長限度は、布状部材２０がピンと張ったときの長さに規制される。これにより、装着時にゴム２１，２２によって腕を締め付ける力が強くなりすぎることなく、適度な力で締め付けることができるようになっている。
【００３０】
Ａ面１２，１３は、巻き方向に長い長方形状に形成されていて、幅方向に相互に隣接するように、上述のようにそれぞれの基端部１２ａ，１３ａが布状部材２０に取り付けられている。Ａ面１２，１３の裏面には、これらよりも一回り大きい布状部材２３，２４が取り付けられている。これら布状部材２３，２４及び上述の連結部材１１の布状部材２０は、患者の腕に直接接触することになるので、刺激性の少ない材質のもの、例えば、フランネルや綿が選択されている。これら布状部材２３，２４の間には、適宜な間隙Ｇが設けられている。点滴針抜去防止具１０を腕に装着して、テープ（不図示）で固定した後、点滴チューブ２５（図４参照）をこの間隙Ｇから取り出すようにする。Ａ面１２，１３は、それぞれ表面側が係止面Ａ１，Ａ１となっていて、この係止面Ａ１，Ａ１のほぼ中央には、後述する巻き掛け凸部１６，１７が突設されている。
【００３１】
Ｂ面１４，１５も、上述のＡ面１２，１３と同様、巻き方向に長い長方形状に形成されていて、幅方向に相互に隣接するように、上述のようにそれぞれの基端部１４ａ，１５ａが布状部材２０に取り付けられている。Ｂ面１４，１５は、裏面側が係止面Ｂ１，Ｂ１となっている。Ｂ面１４，１５の幅Ｗ１は、上述のＡ面１２，１３の幅Ｗ２よりも狭く設定されている。これは、点滴針抜去防止具１０の装着時に、Ａ面１２，１３の係止面Ａ１，Ａ１にＢ面１４，１５の係止面Ｂ１，Ｂ１を係合させた（貼り合わせた）際に、Ｂ面１４，１５の一部がＡ面１２，１３側の布状部材２３からはみ出して患者の腕に触れることを防止するためである。上述のようにＡ面１２，１３及びＢ面１４，１５は、幅方向に２分割されているので、点滴針抜去防止具１０を腕に装着する際に、全体を腕にフィットさせやすい。
【００３２】
巻き掛け凸部１６，１７は、図１，図２，図３に示すように、それぞれのＡ面１２，１３の係止面Ａ１，Ａ１のほぼ中央に突設されている。これら巻き掛け凸部１６，１７は、同形であるので、巻き掛け凸部１６を例に説明する。巻き掛け凸部１６は、図３に示すように、基端部に取付部１６ａを、中間部に巻き掛け部１６ｂを、そして先端部に抜け止め部１６ｃを有している。取付部１６ａは、ほぼ楕円状に形成されていて、Ａ面１２の係止面Ａ１に固定されている。巻き掛け部１６ｂは、取付部１６ａよりも小さく、また厚さの厚い円板状に形成されている。巻き掛け部１６ｂの厚さは、点滴チューブ２５の外径とほぼ同じに設定されている。この巻き掛け部１６ｂは、少なくとも外周面が点滴チューブ２５との間の摩擦係数が大きい部材によって覆われている。これは、巻き掛け部１６ｂに点滴チューブ２５を巻き付けてセットした後に、点滴チューブ２５が不要に引っ張られた際に、巻き掛け部１６ｂから外れにくくするためである。巻き掛け部１６ｂの直径は、小さくなりすぎないように設定する。これが小さすぎると、巻き掛け分１６ｂに点滴チューブ２５を巻き付けたときに、点滴チューブ２５が小さい半径で屈曲されることになって、点滴チューブ２５内を液体の流れを阻害するおそれがあるからである。抜け止め部１６ｃは、上述の巻き掛け分６ｂよりも一回り大きい円板状（フランジ状）に形成されている。この抜け止め部１６ａは、巻き掛け部１６ｂに点滴チューブ２５を巻き付ける際、及び巻き付けた後に、点滴チューブ２５が巻き掛け部から外れにくくするためのものである。
【００３３】
図４，図５に、上述構成の点滴針抜去防止具１０の使用例を示す。点滴針（不図示）は、腕に刺した後、テープ（不図示）で腕に固定する。この点滴針が固定された部位を、固定部位Ｐとする。ただし、図４，図５では、点滴チューブ２５における点滴針の直近部分、つまり点滴針に連結された点滴チューブ２５における、腕と点滴針抜去防止具１０との間から初めて外側に取り出された部分を図示している。
【００３４】
点滴針抜去防止具１０は、点滴針の固定部位Ｐに、面ファスナのＡ面１２，１３の間隙（図１中の布状部材２３，２４の間隙Ｇとほぼ同じ）が対応するように、Ａ面１２，１３を腕に当てる。そして、点滴チューブ２５を後述するように、巻き掛け凸部１６，１７に適宜に巻き付けた後、連結部材１１を巻き方向に引き伸ばしながら、Ｂ面１４，１５をぐるっと腕に巻き付けて、Ａ面１２，１３に貼り合わせる。このように、点滴チューブ２５は、巻き掛け凸部１６，１７に巻き付けられ、さらに、巻き付けられた部分以外の部分も、相互に貼り合わされたＡ面１２，１３とＢ面１４，１５とによって、しっかりと挟み込まれる。このため、例えば患者によって点滴チューブ２５が強く引っ張られた場合であっても、その力は点滴針まで及ばないので、点滴針の抜去を有効に防止することができる。さらに、点滴針抜去防止具１０は、面ファスナを利用しているので、患者に対する装着、及び取り外しは、簡単に行うことができる。
【００３５】
さらに、図４，図５を参照して、点滴ラインの具体例を説明する。このうち、図４は、点滴針の固定部位Ｐが患者の腕Ｍの一般的な箇所である場合を、また図５は手首に近い箇所である場合を示す。
【００３６】
図４に示す点滴ラインＡは、点滴針の固定部位Ｐから始まり、点滴チューブ２５を肘側（同図中の右側）に延ばし、巻き掛け凸部１６に半周分だけ巻き付けた後、手首側（同図中の左側）に折り返し、巻き掛け凸部１７に少し掛けた後、手首側に出すものである。
【００３７】
点滴ラインＢは、上述の点滴ラインＡから、さらに点滴チューブ２５を巻き掛け凸部１７に半周分だけ巻き付けて肘側に折り返し、Ｂ面１４の上側に出すものである。
【００３８】
点滴ラインＣは、上述の点滴ラインＢから、さらに点滴チューブ２５をＡ面１２とＢ面１４との間に挟みこんで、巻き掛け凸部１６に沿わせて肘側に出すものである。
図５に示す点滴ラインＤは、点滴針の固定部位Ｐが手首に近い箇所から始まり、巻き掛け凸部１７から巻き掛け凸部１６に沿わせて肘側に出すものである。なお、点滴チューブ２５の長さに余裕がある場合には、巻き掛け凸部１６に１周分巻き付けるようにするとよい。
【００３９】
点滴ラインＥは、上述の点滴ラインＤから、さらに点滴チューブ２５を巻き掛け凸部１６に半周分巻き付けて手首側に折り返し、Ｂ面１３の上側に出すものである。
【００４０】
なお、図４，図５に示すものは、点滴ラインの一例であって、本考案に係る点滴針抜去防止具１０は、必要に応じて、例えば患者による点滴針が抜去される可能性の大小に応じて、任意の点滴ラインを構築することができる。この場合、例えば、巻き掛け凸部の個数をさらに増やすようにしてもよい。
【００４１】
図６，図７に、本考案に係る点滴針抜去防止具１０を患者の腕Ｍに装着して、点滴ラインを構築した後、全体を覆う、スリーブ状のカバー３０をしめす。このうち図６は、点滴針抜去防止具１０をカバー３０で覆った状態を示し、また図７は断面を示す。ただし、図７では説明を簡略化すべく、点滴針抜去防止具１０は、環状に単純化して図示している。カバー３０は、布状に形成されていて、その幅は点滴針抜去防止具１０より少し広く、また巻き方向の長さが腕の一周分よりも少し長くなるように形成されている。カバー３０は、その基端部３０ａが点滴針抜去防止具１０に一体的に取り付けられていて、基端部３０ａの近傍には、全幅にわたって面ファスナの雌部３１が設けられている。一方、カバー３０の先端部３０ｂには、全幅にわたって面ファスナの雄部３２が設けられている。カバー３０は、腕Ｍに点滴針抜去防止具１０を装着した後、その上から巻き付けて、先端部３０ｂの雄部３２を基端部３０ａの雌部３１に貼り合わせることで、装着することができる。これにより、患者から点滴ラインを覆い隠すことができるため、点滴針の抜去の可能性をさらに低減することができる。なお、図６に示すように、カバー３０の幅方向の両端に、巻き方向の全長わたってゴムを取り付けておくと、装着後のフィット感を向上させることができる。針抜去防止具１０と一体に構成することもできる。
【００４２】
以上の実施の形態においては、面ファスナのＡ面１２，１３が２分割、またこれに対応してＢ面１４，１５が２分割されている場合を例に説明したが、これらを３分割以上にして、患者に対するフィット感をより高めるようにしてもよい。逆に、必要が無い場合には、Ａ面及びＢ面を分割しないようにしてもよい。
【００４３】
また、上述の実施の形態では、面ファスナのＡ面１２，１３が雌部で、Ｂ面１４，１５が雄部である場合を例に説明したが、この逆に、Ａ面１２，１３が雄部で、Ｂ面１４，１５が雌部とすることもでき、この場合も同様の効果を挙げることができる。
【００４４】
また、Ａ面１２，１３及びＢ面１４，１５が取り付けられる連結部材１１を布状部材２０とゴム２１，２２とによって構成したが、これに代えて、伸縮性のある布状部材を使用するようにしてもよい。
【００４５】
また、巻き掛け凸部１６の巻き掛け部１６ｂの形状については、上述では円形に形成した場合を説明したが、これに代えて、楕円状や、（陸上競技場の）トラック形状などとすることもできる。いずれの場合も、巻き付けられた点滴チューブが、小さい半径で屈曲することがないような形状及び大きさにすることが好ましい。
【図面の簡単な説明】
【００４６】
【図１】点滴針抜去防止具の展開図である。
【図２】図１における連結部材の内部のようすを説明する図である。
【図３】点滴針抜去防止具を腕に装着したときの巻き掛け凸部の近傍の拡大図である。
【図４】点滴針抜去防止具を使用した点滴ラインの具体例を説明する図である。
【図５】点滴針抜去防止具を使用した点滴ラインの具体例を説明する図である。
【図６】腕に装着された点滴針抜去防止具を、さらにカバーで覆う例を説明する図である。
【図７】腕に装着された点滴針抜去防止具を、さらにカバーで覆う例を説明する断面図である。
【図８】従来の点滴針及び点滴ラインの一般的な固定状態を説明する図である。
【符号の説明】
【００４７】
１０        点滴針抜去防止具
１１        連結部材
１２，１３  面ファスナのＡ面
１４，１５  面ファスナのＢ面
１６，１７  巻き掛け凸部
１６ａ      取付部
１６ｂ      巻き掛け部
１６ｃ      抜け止め部
２０        布状部材
２１，２２  ゴム（弾性部材）
２３，２４  布状部材（刺激性の少ない布状部材）
Ｍ          腕
【図１】
0003152902.tif 000003
【図２】
0003152902.tif 000004
【図３】
0003152902.tif 000005
【図４】
0003152902.tif 000006
【図５】
0003152902.tif 000007
【図６】
0003152902.tif 000008
【図７】
0003152902.tif 000009
【図８】
0003152902.tif 000010